(57)【特許請求の範囲】
【請求項１】
対物レンズの焦点面近傍に配置され、開口部を備える視野マスクと、
該視野マスクの開口部を通過した光束を集光するフィールドレンズと、
前記視野マスクの開口部及び前記フィールドレンズを通過した光束が入射し、前記対物レンズの焦点調節状態に応じて相対位置が変化する複数の光量分布を形成するレンズ対を備える再結像レンズと、
該再結像レンズにより形成される複数の光量分布を検出する受光手段とを有する焦点検出装置において、
前記視野マスクの画面周辺領域に形成された開口部は、該視野マスクの画面中心領域と該開口部を結ぶ直線に対して垂直方向に延びる第１の開口と、該第１の開口に直交する第２の開口とから成り、
前記再結像レンズは前記第１の開口が延びる方向に配列された第１のレンズ対と、前記第２の開口が延びる方向に配列された第２のレンズ対とを備えており、
前記再結像レンズの前記対物レンズ側に配置された絞りマスクは、前記第１のレンズ対に対応する一対の開口である第１絞りと、前記第２のレンズ対に対応する一対の開口である第２絞りとを備えており、
前記第２絞りの開口中心間隔が、前記第１絞りの開口中心間隔よりも長いことを特徴とする焦点検出装置。
【請求項２】
前記再結像レンズは、前記対物レンズ側の面にプリズム部が形成されており、該プリズム部により偏向された光束が、前記受光手段側の面に形成されたレンズ部に入射することを特徴とする請求項１に記載の焦点検出装置。
【請求項３】
前記再結像レンズの前記第１のレンズ対または前記第２のレンズ対に対応する各レンズ部は、前記再結像レンズの互いに反対側の面に形成されていることを特徴とする請求項１に記載の焦点検出装置。
【発明の詳細な説明】
【０００１】
【発明の属する技術分野】
本発明は、銀塩フィルムを使う一眼レフレックスカメラや、一眼レフレックス電子カメラあるいはビデオカメラなどに使用できる焦点検出装置、特に対物レンズ（撮影レンズ）の焦点調整状態を所謂像ずれ方式を用いて検出する光学機器に好適なものである。
【０００２】
【従来の技術】
最近、多くの写真用カメラあるいはビデオカメラは自動焦点調節のための焦点検出装置を内蔵している。またその測距範囲もファインダー中央のみならず、中央から左右方向や上下方向に距離が離れたところにも設定したものが実現されている。
【０００３】
これは複数の焦点検出系を配置する事によって実現されている。特に一眼レフカメラのように厳しいピント精度が要求される焦点検出装置においては、対物レンズによる結像光束を一組の再結像レンズへ導き、これら再結像レンズにより形成された被写体像に関する複数の光量分布を光電変換素子の受光素子列（画素列）で受け、両光量分布の間隔から対物レンズの焦点調節状態を検出する装置が一般的に用いられている。
【０００４】
しかしながらこの方法では焦点を検出するためには原理的に光電変換素子の画素列に垂直な方向にパターンを有する被写体の光量分布が必要で、場合によっては受光素子列に光量分布が生じないために焦点検出が出来ない欠点を有していた。
【０００５】
これを解決するために、画素列を直交させるような二組の受光素子列を配置して、被写体の光量分布の方向によらずに焦点検出を可能とする焦点検出装置が提案され実用化されている。
【０００６】
【発明が解決しようとする課題】
焦点検出を被写体像の光量分布の方向によらない多様な被写体に対して可能とする為には受光手段として画素列を直交させた２組の光電変換素子を用いる必要がある。
【０００７】
また焦点検出領域を撮影範囲の中央のみならず上下左右離れたところにも設定するには、焦点検出系を各焦点検出領域に対応させて多数設置する必要がある。
【０００８】
撮影範囲の中央から上下左右離れたところに設定された焦点検出領域において、多様な被写体に対して焦点検出を可能とする為には、直交した二組の光電変換素子を配置しなければならないが、これは構成上、難しい。この理由は周辺の領域では撮影レンズのヴィネッティングによって撮影レンズの射出瞳が小さくなるために直交する二組の焦点検出光学系をレイアウトすることが困難だからである。
【０００９】
一般にヴィネッティングによって撮影レンズの射出瞳の幅は像高を取る光軸から伸びる放射方向で像高が増すに従って急激に狭くなり、それに比して放射直線に垂直な方向の幅の減少は小さく放射状方向の幅よりも広くなる。従ってヴィネッティングの大きい撮影レンズに対応させようとすると、放射直線に垂直な方向に絞りを分割する方が焦点検出の精度や焦点検出系の明るさ等から容易である。しかしながら放射線に沿って絞りを分割することは難しい。
【００１０】
本発明は、複数の焦点検出領域を有し、多様な被写体の焦点検出を可能としながらも、小型で簡易な構成の焦点検出装置の提供を目的としている。
【００１１】
【課題を解決するための手段】
本発明の焦点検出装置は、
対物レンズの焦点面近傍に配置され、開口部を備える視野マスクと、
該視野マスクの開口部を通過した光束を集光するフィールドレンズと、
前記視野マスクの開口部及び前記フィールドレンズを通過した光束が入射し、前記対物レンズの焦点調節状態に応じて相対位置が変化する複数の光量分布を形成するレンズ対を備える再結像レンズと、
該再結像レンズにより形成される複数の光量分布を検出する受光手段とを有する焦点検出装置において、
前記視野マスクの画面周辺領域に形成された開口部は、該視野マスクの画面中心領域と該開口部を結ぶ直線に対して垂直方向に延びる第１の開口と、該第１の開口に直交する第２の開口とから成り、
前記再結像レンズは前記第１の開口が延びる方向に配列された第１のレンズ対と、前記第２の開口が延びる方向に配列された第２のレンズ対とを備えており、
前記再結像レンズの前記対物レンズ側に配置された絞りマスクは、前記第１のレンズ対に対応する一対の開口である第１絞りと、前記第２のレンズ対に対応する一対の開口である第２絞りとを備えており、
前記第２絞りの開口中心間隔が、前記第１絞りの開口中心間隔よりも長いことを特徴としている。
【００１２】
請求項２の発明は請求項１の発明において、
前記再結像レンズは、前記対物レンズ側の面にプリズム部が形成されており、該プリズム部により偏向された光束が、前記受光手段側の面に形成されたレンズ部に入射することを特徴としている。
【００１３】
請求項３の発明は請求項１の発明において、
前記再結像レンズの前記第１のレンズ対または前記第２のレンズ対に対応する各レンズ部は、前記再結像レンズの互いに反対側の面に形成されていることを特徴としている。
【００１５】
【発明の実施の形態】
図１は本発明を一眼レフレックスカメラに適用した実施形態の構成図である。図１において、２１は脱着可能または固定の対物レンズ（撮影レンズともいう）、８は対物レンズ１の瞳、１は対物レンズ１の光軸である。光軸１ にそって入射する光束は半透過部を備えるクイックリターンミラー２２に達し、二つの光束に分割される。反射される光軸にそってフォーカシングスクリーン２３、ペンタプリズム２４、接眼レンズ２５が配置され、ファインダー像の視認のためファインダー系を構成する。
【００１６】
一方クイックリターンミラー２２を透過する光軸にそって、可動なサブミラー２６、ついで図中２乃至７の各要素で示される焦点検出系が配置され、焦点検出系の出力にもとづき、図示されていない駆動機構によって対物レンズ２１の焦点状態が調節される。
【００１７】
図２は図１の焦点検出系を反射ミラー４を省略して展開した形で図示したものである。図３〜図７は図２の一部分の説明図である。次に図２乃至図７を使って本発明の焦点検出装置の構成を説明する。２は対物レンズの焦点面近傍におかれる視野絞り（視野マスク）である。
【００１８】
図３は正面から、視野マスク２を見たときの図であり、３つの十字形状の開口部２ａ，２ｂ，２ｃを持ち、横手方向（光軸中心から放射方向）に長い３つの焦点検出領域（開口）２ａ２，２ｂ２，２ｃ２と、縦方向に長い３つの焦点検出領域（開口）２ａ１，２ｂ１，２ｃ１を備えている。
【００１９】
ここで焦点検出領域２ｂ１は第１の焦点検出領域（第１の開口）、焦点検出領域２ｂ２は第２の焦点検出領域（第２の開口）を形成している。ここで第１の開口２ｂ１は視野マスク２の画面中心領域と開口部２ｂを結ぶ直線に対して垂直方向に延びている。第２の開口２ｂ２は第１の開口２ｂ１に直交している。
【００２０】
焦点検出領域２ａ１，２ｂ１，２ｃ１の視野の長手方向は、図２の紙面垂直方向に長く、紙面上下方向に３つの開口部２ａ，２ｂ，２ｃが並んで配置されている。
【００２１】
３は三分割されたフィールドレンズ部３ａ，３ｂ，３ｃを有するフィールドレンズで、視野マスク２の近傍に、対物レンズ２１の焦点面から少し離れて配置されている。
【００２２】
図４はフィールドレンズ３を正面から見た図である。フィールドレンズ３は焦点距離の異なる第１のフィールドレンズ部３ａ，および２つの第２のフィールドレンズ部３ｂ，３ｃからなっている。図４では点線で焦点検出領域を示している。
【００２３】
５は焦点検出光学系の絞りマスク（絞り）である。図５は絞りマスク５を正面から見た図で、視野マスク２上の焦点検出領域（２ａ、２ｂ、２ｃ）に対する３組の２対４つのレンズからなる２次結像レンズ６の有効領域を決める為の３組（５ａ，５ｂ，５ｃ）の２対４つの開口部（絞り開口）を有している。ここで、絞りマスク５の開口部５ｂ１１，５ｂ１２は第１絞り、開口部５ｂ２１，５ｂ２２は第２絞りである。
【００２４】
６は再結像レンズであり、２対を１組のレンズ部（２つのレンズ対）を３カ所に有し、視野マスク２の開口部を通して対物レンズ１の像をセンサー（受光手段）７上に再び結像する作用を有する。
【００２５】
図６は再結像レンズ６の正面図および側面図である。レンズ６ｂ１１とレンズ６ｂ１２は第１の再結像レンズ（第１のレンズ対）、レンズ６ｂ２１とレンズ６ｂ２２は第２の再結像レンズ（第２のレンズ対）である。７は光電変換デバイス（受光手段）である。
【００２６】
図７は光電変換デバイス７を正面から見た図で受光素子列の長手並び方向が図１の紙面上下方向に対応している。
【００２７】
視野マスク２の開口部２ａ，２ｂ，２ｃを通った光束はフィールドレンズ３のフィールドレンズ部３ａ，３ｂ，３ｃを透過し、光電変換デバイス７上に対物レンズ２１による物体像の２次像を形成する。
【００２８】
図７にこの様子が示してある。３つの領域７Ａ，７Ｂ，７Ｃ内に、各々多数の画素より成る画素列（受光素子列）が２対で４列のセンサー列を有している。これらの画素列に対応して視野マスク２の開口２ａ１，２ａ２，２ｂ１，２ｂ２の像が図７の画素列を囲む点線で示す領域に投影され、この内部に物体の２次像が形成される。
【００２９】
一つの開口部２ａにつき、２組のレンズ対（６ａ１１，６ａ１２，６ａ２１，６ａ２２）によって４つの２次像（７ａ１１，７ａ１２，７ａ２１，７ａ２２）が図７の点線のように形成され、物体像の２次像は対物レンズ２１の焦点調節状態によってそれぞれのセンサー列の長手方向に移動する。
【００３０】
同一直線上に並ぶ各画素列の組はそれぞれに対応する同じ視野マスク２の開口部の像について、光電変換素子７上の２次像の相対的間隔をそれぞれ検出する事により、視野マスク２の開口部それぞれについて、対物レンズ１の焦点調節状態を検出する事が出来る。
【００３１】
フィールドレンズ３は３つに分割された焦点距離の異なるフィールドレンズ部（３ａ、３ｂ、３ｃ）より成っている。焦点検出装置のフィールドレンズ３の役割は、焦点検出の対象となる対物レンズ２１の射出瞳８と焦点検出装置の絞りマスク５を共役の関係で結ぶ事にある。
【００３２】
言い換えれば焦点検出装置の絞りマスク５を対物レンズ２１の射出瞳位置８に投影するように設定される。
【００３３】
ここで焦点検出領域の方向と、絞りマスク５の絞り開口、２次結像レンズ６，センサー列７の方向との関係を説明する。図３の中央部の一方の焦点検出領域２ａ１に対応する絞り開口は図５の絞り開口５ａ１１，５ａ１２であり、図中の直線５１の方向に対物レンズ２１の入射瞳８を分割している。同じく図３の他方の焦点検出領域２ａ２に対応する絞り開口は図５の絞り開口５ａ２１，５ａ２２であり、図中の直線５２の方向に対物レンズ２１の入射瞳を分割している。
【００３４】
二つの直線５１，５２は絞り開口の重心間隔を示していて、この距離が焦点検出系の精度を決定するパラメータになり、絞り開口の大きさが焦点検出系の光学系としての明るさを決定する。これらの瞳分割方向は視野マスク２の開口が直交する方向と一致しており、これはセンサー列７の方向とも一致している。
【００３５】
中央部の焦点検出領域２ａ１に対応する２次結像レンズ６のレンズ対は図６のレンズ対６ａ１１，６ａ１２で図５の絞りマスク５の絞り開口５ａ１１，５ａ１２の位置に一致している。その他の２次結像レンズも同様にそれぞれの絞りマスク５の絞り開口に一致して配置されている。
【００３６】
図６の２次結像レンズ６のレンズ対６ａ１１、６ａ１２によって図３の視野マスク２の中央部分の十字開口部の一方２ａ１がセンサー７上に図７の像７ａ１１，７ａ１２のごとく投影され、センサー列上に撮影レンズによる開口部中の像が２次結像され、センサー７で光量分布として検出される。
【００３７】
同様に２次結像レンズ６のレンズ対６ａ２１、６ａ２２によって図３の視野マスク２の中央部分の十字開口部の他方２ａ２がセンサー７上に図７の像７ａ２１，７ａ２２の如く投影され、センサー列上に撮影レンズによる開口部中の像が２次結像され、センサーに光量分布として検出される。
【００３８】
図７の像７ａ１１，７ａ１２又は像７ａ２１，７ａ２２の二つの像が撮影レンズのピント変化によってセンサー列方向に移動する為、この間隔を測定することによってピントの位置を検出することができる。
【００３９】
次に本発明による画面周辺の焦点検出領域の絞りマスク５の絞り開口を視野の方向によって異ならせることの効果を説明する。
【００４０】
正確な焦点検出を行う為には焦点検出を行う対物レンズ２１の射出瞳８の中に焦点検出光学系の絞りマスク（入射瞳）５を投影する必要がある。言い換えれば焦点検出光学系の絞りマスク５をフィールドレンズ３によって撮影レンズ２１の射出瞳８上に結像して、その像が撮影レンズ２１の射出瞳８からはみ出さないようにしておかなければならない。
【００４１】
このような瞳の結合関係が保たれない場合、所謂焦点検出系の瞳にけられが生じ、十分な光束がセンサー上に到達しない為、センサー上の光量分布に不均一性が生じることになる。
【００４２】
従って、センサー上の２像の光量分布から２次像の間隔を検出して焦点検出を行う焦点検出装置では正確な焦点検出が行えないことになる。
【００４３】
従って同方式の焦点検出光学系では撮影レンズと焦点検出光学系の瞳結合はフィールドレンズ３の適切なパワーの設定と絞りマスク５の絞り開口の適切な大きさの設定によって厳密に保たれることが必要とされる。
【００４４】
一眼レフカメラのように焦点距離、Ｆｎｏの違う多くの種類の撮影レンズやズームレンズのように焦点距離、Ｆｎｏ共に変化する撮影レンズが焦点検出光学系に組み合わされたりする場合、前述の瞳結合を厳密に成り立たせることが大変困難になる。一眼レフカメラの場合は多くの撮影レンズに対応させるため適合する撮影レンズの最小ＦｎｏをＦ５．６程度にすることが多い。
【００４５】
従って焦点検出光学系もＦ５．６の射出瞳に合わせる形で絞り開口を決定する。
【００４６】
焦点検出領域が撮影レンズの光軸付近、画面の中央であればほぼ撮影レンズのＦｎｏによって焦点検出光学系の取り込むことができる光束が決定される。しかしながら、画面の中心以外の周辺領域に焦点検出範囲を設定しようとすればＦｎｏだけでなく射出瞳の光軸方向の位置や、ヴィネッティングの影響も考慮しなければならない。
【００４７】
例えば、Ｆｎｏが同じでも射出瞳の光軸方向の位置が異なる複数の撮影レンズで焦点検出光学系に取り込む光束を決定しようとすると焦点検出光学系の絞り開口を分割する方向に制約を受けるようになる。
【００４８】
このことを図８を用いて説明する。１は撮影レンズ２１の光軸、３０は撮影レンズ２１の結像面、３１，３２は同じＦｎｏ（ここでは仮にＦ５．６とする）で光軸方向の位置が異なる射出瞳を摸式的に示している。
【００４９】
５は焦点検出光学系の絞りマスク及びそれが置かれる面（絞り面）を示している。３３は撮影レンズ２１の画面中央３５に入射する点線Ｌ１，Ｌ２で示す光束が絞り面５に到達する範囲を摸式的に示し、その中に焦点検出光学系の絞りマスク５の絞り開口３３ａ１，３３ａ２，３３ｂ１，３３ｂ２を示している。光束Ｌ１，Ｌ２は撮影レンズ２１の光束を決定する射出瞳８を模した絞り３１，３２に制限されて結像面３０の光軸上３５に結像する。
【００５０】
射出瞳３１，３２は同じＦ５．６であり、光束Ｌ１，Ｌ２を同じように制限している。
【００５１】
Ｆ５．６の光束は絞り面５上に結像面３０と絞りマスク５の距離に応じた円（範囲）３３を描くことになる。この円３３の内側に焦点検出光学系の絞り開口を設ければ、撮影レンズ２１の射出瞳８と焦点検出光学系の入射瞳を適切に結合させる条件が整う。
【００５２】
実際の焦点検出光学系では、撮影レンズ２１の結像面３０近傍にフィールドレンズ３等を配置して、絞りマスク５を射出瞳３１，３２近傍に結像させる作用を持たせる。
【００５３】
このとき図のように撮影レンズのＦｎｏの光束の円３３内に絞り開口を設定しておけば、撮影レンズからの光束をケラレることなく焦点検出光学系に取り込むことができる。
【００５４】
次に焦点検出領域が画面中心にない場合を考える。光束Ｌ３，Ｌ４はＦ５．６に相当する射出瞳３１，３２によって制限され像面上に点３６に到達する光束を示している。実際の撮影レンズではＦｎｏ光束を決定する絞りや個々のレンズ径などによって複数の光束を制限する部材が存在する。
【００５５】
図中では下方の光束Ｌ３は射出瞳３１によって制限され、上方光束Ｌ４は射出瞳３２によって制限され、絞り面５において３４で示すような楕円形状の光束断面となる。
【００５６】
従って明るさ、焦点検出精度共に良好な焦点検出光学系を得るためには絞り開口３４ａ１，３４ａ２で示すような方向の分割をすることが望ましい。ここに画面中央と同じように直交する十字の焦点検出領域を確保しようとすれば紙面を上下に分割する絞り開口を設置する必要がある。
【００５７】
しかし楕円３４で示すように使用できる光束が楕円形状であるため紙面上下方向に分割する絞り開口は面積が小さく、間隔の狭いものになってしまう。これはこの焦点検出光学系が暗さに弱く、精度の悪いことを意味している。
【００５８】
本発明ではこの点に鑑み周辺の直交する二つの焦点検出領域の焦点検出光学系をそれぞれ異なる撮影レンズＦｎｏに対応させることによって、明るく検出精度の良い焦点検出光学系を実現している。
【００５９】
図９は本発明の焦点検出装置の画面周辺部の焦点検出光学系に用いる絞りマスク５の絞り開口を説明する図である。
【００６０】
光束Ｌ３，Ｌ４，光束有効部３４，絞り開口３４ａ１，３４ａ２は図８と同一であり、撮影レンズの射出瞳３１，３２によって決定される絞り開口を示している。
【００６１】
３９，４０は射出瞳３１，３２よりも明るい（Ｆｎｏの小さな）撮影レンズの射出瞳を示し、像面上の点３６に到達する光束Ｌ５は射出瞳３９によって制限され、光束Ｌ６は射出瞳４０によって制限されている。
【００６２】
図８の楕円３４と同様に光束Ｌ５，Ｌ６は絞り面上５に楕円形状の撮影レンズの有効部３７を形成する。ここに紙面を上下方向に分割する絞り開口３７ａ１，３７ａ２を設定する。
【００６３】
図９で説明したように、画面周辺の焦点検出領域を直交する二つで構成する場合、対応するＦｎｏを異なるものとして撮影レンズの有効光束が、より狭くなる方向にＦｎｏの小さな明るいレンズを対応させ、それに直交する方向にＦｎｏの大きな暗いレンズを対応させれば良い。
【００６４】
本発明では図５の絞り開口５ｂ１１，５ｂ１２，５ｂ２１，５ｂ２２で示すように、絞り開口（第１絞り）５ｂ１１，５ｂ１２が構成する焦点検出光学系は比較的暗い撮影レンズのＦ５．６以上の明るさを有する撮影レンズに対応し、絞り開口（第２絞り）５ｂ２１，５ｂ２２はＦ２８以上の明るい撮影レンズに対応している。勿論、絞り開口５ｂ１１，５ｂ１２で構成する焦点検出光学系はＦ５．６以上の明るさを持つ撮影レンズであれば焦点検出が可能である。
【００６５】
そこで図５に示すように絞り開口の重心間隔を示す直線５３，５４は直交し、直線５４＞直線５３なる関係にしている。
【００６６】
従って絞り開口（第２絞り）５ｂ２１，５ｂ２２で構成する焦点検出光学系の方が焦点検出精度が高く、明るい撮影レンズが要求する焦点検出精度との適合性に優れている。また絞り開口の開口面積を大きく取って焦点検出光学系としての明るさも確保し、これも明るい撮影レンズとの適合性に優れている。
【００６７】
図１０は本発明の実施形態２の一部分の説明図である。１０６は２次結像レンズであり、これ以外の構成、作用は実施形態１と同じなので説明を省略する。実施形態２では２次結像レンズ１０６のレンズ部を絞りマスク５の直後側としている。
【００６８】
これは絞りマスク５とレンズ部が離れた構成では多数のレンズ部を有する２次結像レンズでは有効部の広がりから光束のオーバーラップが生じ、ゴースト光となって著しい焦点検出精度の低下をもたらすからである。
【００６９】
実施形態２のように絞り開口の直後にレンズ部を設けることにより各絞り開口を通る光束が広がる前に収束作用のあるレンズ部を通過させることができ、光束のオーバーラップが解消される。
【００７０】
図１１は本発明の実施形態３の一部分の説明図である。１１６は２次結像レンズであり、これ以外の構成、作用は実施形態１と同じなので説明を省略する。
【００７１】
実施形態３では２次結像レンズ１１６の絞りマスク５側にプリズム部を有しており、センサー上の２次結像面の補正を行うと同時に、プリズム部で光束を外側に曲げることによりレンズ部での光束のオーバーラップを防ぐ効果を有している。
【００７２】
図１２は実施形態３に用いる２次結像レンズ１１６の拡大図である。基板の一方に設けたプリズム部１２３を通過した光束がプリズム作用によって外側（紙面左）に偏向されつつ、基板の他方に設けたレンズ部１２１に入射する。同様にプリズム部１２４を通過した光束がプリズム作用によって外側（紙面右）に偏向されつつレンズ部１２２に入射する。周辺のレンズについても同様にプリズム部１２７を通過した光束がプリズム作用によって外側（紙面右）に偏向されつつレンズ部１２６に入射する。このような偏向作用を与えるプリズム部１２３，１２４，１２７，１２８等を設けることによってレンズ部での光束のオーバーラップを回避することができる。
【００７３】
図１３は本発明の実施形態４の説明図である。１３６は２次結像レンズであり、これ以外の構成、作用は実施形態１と同じである為説明を省略する。２次結像レンズ１３６は直交する視野を担当するレンズ部を部材（基板）の表裏に分けて配置することにより、各レンズに入射する光束のオーバーラップを回避している。
【００７４】
図１４は実施形態４に用いる２次結像レンズ１３６の拡大図で、図１４（Ａ）は上方から見た図、図１４（Ｂ）は側面図、図１４（Ｃ）は下方から見た図である。
【００７５】
本実施形態では絞りマスク５側に図１４（Ａ）で示す側をセンサー７側に図１４（Ｃ）で示す側を向けて２次結像レンズ１３６を配置している。絞りマスク５近傍の図１４（Ａ）に配置されたレンズ部１４１ａに入射した光束は絞りマスク５とレンズ部１４１ａが近い為、ほとんど広がることなく収斂作用をすぐに受けてセンサー７に入射する。
【００７６】
従って光束が他のレンズ部に入射するようなオーバーラップが生じない。センサー７に近い図１４（Ｃ）側に配置されたレンズ部１４３ｃに入射する光束は、絞り５とレンズ部１４３ｃが離れている為光束がある程度広がりながらレンズ部１４３ｃに入射することになる。
【００７７】
しかし、オーバーラップが懸念される一方のレンズ部は反対面の絞り５側にある為、オーバーラップが生じない。実施形態２，３，４のような構成を取ることによって直交する焦点検出領域を設けても、光束オーバーラップが起こらない焦点検出光学系が実現できる。
【００７８】
【発明の効果】
本発明によれば以上説明したように、撮影画面の中心部だけでなく、画面の周辺にも焦点検出領域として直交する二つの焦点検出範囲を設ける場合、適応する撮影レンズのＦｎｏを異なるものとすることによって高精度な焦点検出光学系を構成することを可能としている。
【００７９】
特に本発明によれば、複数の焦点検出領域を有し、多様な被写体の焦点検出を可能としながらも、小型で簡易な構成の焦点検出装置を達成することができる。
【図面の簡単な説明】
【図１】本発明の実施形態１のカメラへの適用例を示す図
【図２】本発明の実施形態１の焦点検出装置の構成を示す図
【図３】本発明の実施形態１が適用される視野マスクを示す図
【図４】本発明の実施形態１が適用されるフィールドレンズを示す図
【図５】本発明の実施形態１が適用される絞りマスクを示す図
【図６】本発明の実施形態１が適用される再結像レンズを示す図
【図７】本発明の実施形態１が適用される光電変換素子を示す図
【図８】本発明の実施形態１の絞りマスクの決定方法の説明図
【図９】本発明の実施形態１の絞りマスクの決定方法の説明図
【図１０】本発明の実施形態２の焦点検出装置の要部概略図
【図１１】本発明の実施形態２の焦点検出装置の要部概略図
【図１２】本発明の実施形態３の一部分の説明図
【図１３】本発明の実施形態４の焦点検出装置の要部概略図
【図１４】本発明の実施形態４の一部分の説明図
【符号の説明】
１  光軸
２  視野マスク
３  分割されたフィールドレンズ
４  反射ミラー
５  絞りマスク
６  再結像レンズ
７  光電変換素子
８  瞳
２１  対物レンズ
２２  クイックリターンミラー
２ｂ１    第１の焦点検出領域
２ｂ２    第２の焦点検出領域
５ｂ１１，５ｂ１２    第１絞り
５ｂ２１，５ｂ２２    第２絞り
６ｂ１１，６ｂ１２    第１の再結像レンズ
６ｂ２１，６ｂ２２    第２の再結像レンズ
【図１】
0004289707.tif 000002
【図２】
0004289707.tif 000003
【図３】
0004289707.tif 000004
【図４】
0004289707.tif 000005
【図５】
0004289707.tif 000006
【図７】
0004289707.tif 000007
【図８】
0004289707.tif 000008
【図９】
0004289707.tif 000009
【図１０】
0004289707.tif 000010
【図１１】
0004289707.tif 000011
【図１２】
0004289707.tif 000012
【図１３】
0004289707.tif 000013
【図６】
0004289707.tif 000014
【図１４】
0004289707.tif 000015